(57)【要約】【課題】  電池を内蔵することなしに，動作可能で必要時のみに信号を送受信できるリモートコントローラーや操作装置を開発する。また，これにより，リモートコントローラーを口腔内や体内への挿入を可能とし，医療・福祉分野での利用を目指す他，小型軽量な一般・産業用リモートコントローラーとしての利用を目指す。【解決手段】  当該リモートコントローラーは受動型ＲＦＩＤなどの様に電磁誘導により得られた電力によって動作するＩＣと，操作用スイッチ，アンテナから構成されるものとする。これにより，電磁波など外部からのエネルギーから起電力を得て動作させ，必要時のみに信号の送受信が行える。このため，内蔵電池が不要となり，口腔内や体内への挿入を可能とすると共に，小型軽量な一般・産業用リモートコントローラーが製作可能となる。【選択図】図１
2010050942.tif 000002
【特許請求の範囲】
【請求項１】
電磁波などの外部からのエネルギーを電磁誘導により発電し，これを起電力として用いるリモートコントローラーであって，スイッチを具備することにより必要時に信号の送受信が可能なリモートコントローラー。
【請求項２】
請求項１に記載のリモートコントローラーを用いたことを特徴とする操作装置。
【発明の詳細な説明】
【技術分野】
【０００１】  本発明は電池を内蔵することなしに，必要時のみに信号の送受信が可能なリモートコントローラー及び操作装置に関するものである。
【背景技術】
【０００２】  一般的なリモートコントローラーや操作装置の駆動原理としては，有線タイプのコントローラーは付随するケーブルから電源供給され，無線タイプは内蔵した電池から電源供給される必要があった。
【発明の開示】
【発明が解決しようとする課題】
【０００３】  従来のリモートコントローラーや操作装置において，これらを口腔内や体内に持ち込む場合，有線タイプはケーブルが体内から体外に露出するため感染や衛生上の問題があった。【０００４】  無線タイプにおいても駆動電源の確保が必要であり，毒性の強い電池を口腔内・体内に持ち込む必要があり，危険性があった。【０００５】  さらに，手術などにより体内に持ち込んだ場合，電池切れの際の電池交換が容易に行えないなどの問題点を有している。【０００６】  他方，体内挿入以外の用途や操作性の観点から，有線タイプはケーブルが操作上の邪魔となる他，無線タイプも内蔵電池の分だけ総重量が重くなり，また，そのスペースも必要となるなど軽量化・省スペース化の面で問題点を有していた。【０００７】    さらに，電磁波などの外部からのエネルギーを電磁誘導により発電し，これを起電力として用いるスマートキーなどは，通信範囲内にある際には，常時その信号を発信してしまう欠点を有していた。【０００８】  本発明は上記従来の事情および問題点を解決するためのもので，電池を内蔵することなしに，動作可能で，必要時のみに信号の送受信を行うリモートコントローラーや各種操作装置に関するものである。
【課題を解決するための手段】
【０００９】  本発明は上記課題を解決するために，電磁波など外部からのエネルギーを電磁誘導により発電し，これを起電力として動作し，必要時のみに信号の送受信を行わせるために，電磁誘導を行うアンテナ部とＩＣチップ部の間にスイッチを具備することを特徴としたリモートコントローラー及び操作装置である。
【発明の効果】
【００１０】本発明はリモートコントローラーの操作電源を電磁誘導によって供給しているため，一般のリモートコントローラーの様な内蔵電池が不要である．【００１１】  当該リモートコントローラーは，内蔵電池を不要としていることから，口腔内や体内に挿入した場合においても，電池の液漏れなどによる毒性や危険性を回避することができる．また，電池切れ時の電池交換も不要であることから，手術などの負担を軽減する効果もある。【００１２】  他方，体内挿入以外の用途や操作性においても，内蔵電池の重量を軽減すると共に，省スペース化が図れることから，小型軽量化の面でも産業的なメリットは大きい。【００１３】  当該リモートコントローラーはＩＣチップとアンテナ間に操作用スイッチを具備していることから，一般のＲＦＩＤやスマートキーの様に，通信エリア内で常時データーや信号の送受信するものではなく，必要時のみデーターや信号の送受信を可能としている。【００１４】  上述の様に内蔵電池を必要とせず，小型軽量化が図れ，必要時に信号の送受信を行えることから，一般・産業用のリモートコントローラーとしての利用も可能となる。【００１５】  また同様に，内蔵電池が不要，小型軽量化，必要時の信号送受信の利点から，口腔内や体内に挿入可能なリモートコントローラーとしての利用が可能となる。【００１６】  ここで，リモートコントローラーを口腔内や体内に挿入することによって，例えば，口腔・眼球などしか動かすことができない重度障害者用の操作装置・生活支援装置としても利用が可能である。【００１７】  また，舌の随意動作が可能な重度障害者が多いにもかかわらず，口腔内挿入型の操作装置・支援機器は殆ど開発されていないことから，当該リモートコントローラーの開発により障害者の介護軽減と自立支援の一助となりうる。
【発明を実施するための最良の形態】
【００１８】    上記課題を解決するために本発明が採用した手段は，図１の様にリモートコントローラーを構成することである．すなわち，当該リモートコントローラーは受動型ＲＦＩＤなどの様に電磁誘導により得られた電力によって動作するＩＣと，操作用スイッチ，アンテナから構成される。【００１９】  このリモートコントローラーは，一般のＲＦＩＤなどの様に，通信エリア内において常時信号を送受信するものではなく，ＩＣとアンテナ間を操作用スイッチでＯＮ／ＯＦＦの切り替えを行うことによって，必要時のみ操作信号を送受信するものである。【００２０】  また，このリモートコントローラー・操作装置は単一のＩＣ，スイッチ，アンテナの構成に限定されず，必要に応じたチャンネル数を具備するものである。【００２１】  さらに，当該リモートコントローラーに用いる周波数帯域も一意に限定されるものではなく，必要に応じた周波数帯域を利用するものとする。
【実施例】
【００２２】  本発明を図面に示す実施例に基づいて説明すると次の通りである．図１は本発明の実施例に係るものであり，リモートコントローラーの構成を示した例である。また，図２は当該リモートコントローラーによって制御対象（図では模型車であるが，実際には電動車椅子，ＴＶ，室内照明など）の操作を行った例である。【００２３】  図１に示すように，当駭リモートコントローラーの構造は基板上（１）にＩＣチップ（２），操作用スイッチ（３），アンテナ（４）を設置する。【００２４】  また，当該リモートコントローラーを口腔内や体内に挿入する場合，十分な防水処理を施すものとする。【００２５】  当該システムの概要は，図２，図３に示すように，リモートコントローラー（５），信号受信器＆アンテナ（６），コントローラー（制御装置）（７），制御対象（図では模型車であるが，実際には電動車椅子やＴＶ，各種照明など）（８）などで構成される。【００２６】  図２において，利用者が当該リモートコントローラー（５）を操作することによって，操作信号は信号受信器（６）に送られ，コントローラー（７）で必要な指令に変換され，制御対象（図では模型車であるが，実際には電動車椅子やＴＶ，各種照明など）（８）の操縦を行うものとする．【００２７】  ところで，本発明は上記実施例に限定されるものではなく，リモートコントローラーの設置場所，操作方法，操作対象は，利用者の都合に合わせて適宜変更可能である。また，当該リモートコントローラーに使用するＩＣの種類は機能を満たす物であれば特に限定しない。
【図面の簡単な説明】
【００２８】
【図１】本発明のリモートコントローラーの構造における説明図である。
【図２】本発明のリモートコントローラー用いた実施例の説明図である。
【符号の説明】
【００２９】１  ：リモートコントローラーの基板
２  ：ＩＣチップ
３  ：操作用スイッチ
４  ：アンテナ
５  ：当該リモートコントローラー
６  ：信号受信器＆アンテナ
７  ：コントローラー（制御装置）
８  ：制御対象（図では模型車であるが，実際には電動車椅子やＴＶ，各種照明など）
【図１】
2010050942.tif 000003
【図２】
2010050942.tif 000004